(57)【要約】【課題】床用吸込み口本体がこれから吸込み部材を外す際に足で踏みつけられる恐れがなく、簡単に床用吸込み口本体から吸込み部材を外すことができる電気掃除機を提供する。【解決手段】握り部及びこの握り部に設けられた押出し機構を備えた吸塵ホースを、電動送風機が内蔵された掃除機本体に接続する。吸込みヘッド及びこのヘッドに連結された接続管５３を有する床用吸込み口体を吸塵ホースの上流側に配置する。吸口４２ａを有して床用吸込み口体より小さく形成された吸込み部材４１を、接続管５３に着脱可能に嵌合して握り部と吸込みヘッドとの間に配置する。吸込み部材４１を接続管５３に嵌合された状態に保持するとともに前記嵌合を外し得る状態に前記保持を解除する保持手段６１を備え、この手段による前記保持の解除が、押出し機構の操作に連動してなされるようにしている。【選択図】      図４
2007190190.tif 000002
【特許請求の範囲】
【請求項１】
電動送風機が内蔵された掃除機本体と、
握り部及びこの握り部に設けられた押出し機構を備えて前記掃除機本体に接続された吸塵ホースと、
吸込みヘッド及びこのヘッドに連結された接続管を有して前記吸塵ホースの上流側に配置される床用吸込み口体と、
吸口を有して前記吸込み口体より小さく形成され前記接続管に着脱可能に嵌合して前記握り部と吸込みヘッドとの間に配置される吸込み部材と、
この吸込み部材を前記接続管に嵌合された状態に保持するとともに、前記嵌合を外し得る状態に前記保持を前記押出し機構の操作に連動して解除する保持手段と、
を具備した電気掃除機。
【請求項２】
前記保持手段が、前記押出し機構に連動して前記吸込み部材の軸方向に移動可能な保持解除部材を備え、この保持解除部材の移動により、前記保持を解除するとともに、この解除状態で前記接続管から前記吸込み部材が外れる方向の力を前記吸込み部材に与えるようにした請求項１記載の電気掃除機。
【請求項３】
前記吸込み部材が、前記握り部に接続された延長管に接続する接続管部と、前記吸口側に設けられたブラシ毛とを有してなる請求項１又は２に記載の電気掃除機。
【発明の詳細な説明】
【技術分野】
【０００１】
本発明は、床用吸込み口体とこれより小さい吸込み部材とを掃除場所に応じて使い分けて掃除をすることができる電気掃除機に関する。
【背景技術】
【０００２】
従来、床ノズル（床用吸込み口体）にこれより小さい小型ノズル（吸込み部材）を着脱自在に接続して、広い場所などを掃除する場合には小型ノズルを床ノズルに装着して使用し、床ノズルより狭い場所などを掃除する場合には床ノズルから離脱させた小型ノズルを使用するようにした掃除機用吸込具が知られている（例えば、特許文献１参照。）。
【０００３】
この特許文献１で、床ノズルに小型ノズルを着脱する着脱手段は、床ノズルの側面から外に突出する端部を足ふみ部とした操作レバーと、このレバーの他端部に枢支された駆動部材と、床ノズルに設けた小型ノズル収納凹部に配置されて駆動部材によって上下動され保持具とを備えて形成されている。保持具は、略半割状に形成されていて、その両端部分が外方に広がる付勢力を有したばね材からなる。この着脱手段では、保持具の付勢力で、小型ノズル収納凹部に収容された小型ノズルを把持することにより、小型ノズルを床ノズルに装着できる。又、操作レバーを足で踏み付けて、保持具を押し上げ前記把持を解除するように開かせることにより、床ノズルから小型ノズルを離脱できる。
【０００４】
又、上部延長管と下部延長管とを所定の角度で折り畳み可能に接続した関節部を、選択的に折り畳めるように調節するロック調節手段を、掃除機本体に接続された吸入ホース先端に連結された取っ手部に設け、この取っ手部でのレバー操作に連動して、関節部の回転を拘束するロック溝からロック突起を抜け出させて、上部延長管と下部延長管を所定の角度に折り畳むことができるようにした技術が知られている（例えば、特許文献２参照。）。
【特許文献１】特開2004−337637号公報（段落0019−0036、図１−図１０）
【特許文献２】特開2002−253456号公報（段落0076−0100、図７−図１１）
【発明の開示】
【発明が解決しようとする課題】
【０００５】
特許文献１の技術では、小型ノズルを床ノズルから外すのに、床ノズルから側方に突出している操作レバーを足で踏むことが必要であるので、その際に誤って床ノズル等が足で踏まれる恐れがある。これに対処するためには、床ノズル等の強度を強くしなければならならない。
【０００６】
又、特許文献２の技術は、手元でのレバー操作で遠隔的にロック状態を解除するものであるが、上部延長管と下部延長管との関節部でのロック解除について適用したもので、床用吸込み口体に着脱自在な吸込み部材の床用吸込み口体に対する保持を解除することについて開示したものでも示唆したものではない。
【０００７】
本発明の目的は、床用吸込み口本体がこれから吸込み部材を外す際に足で踏みつけられる恐れがなく、簡単に床用吸込み口本体から吸込み部材を外すことができる電気掃除機を提供することにある。
【課題を解決するための手段】
【０００８】
前記課題を解決するために本発明は、握り部及びこの握り部に設けられた押出し機構を備えた吸塵ホースを、電動送風機が内蔵された掃除機本体に接続し、吸込みヘッド及びこのヘッドに連結された接続管を有する床用吸込み口体を吸塵ホースの上流側に配置するとともに、吸口を有して前記吸込み口体より小さく形成された吸込み部材を、接続管に着脱可能に嵌合して握り部と吸込みヘッドとの間に配置し、吸込み部材を接続管に嵌合された状態に保持するとともに前記嵌合を外し得る状態に前記保持を解除する保持手段を設けて、この保持の解除が押出し機構の操作に連動してなされるようにしている。
【発明の効果】
【０００９】
本発明によれば、床用吸込み口本体がこれから吸込み部材を外す際に足で踏みつけられる恐れがなく、簡単に床用吸込み口本体から吸込み部材を外すことができる電気掃除機を提供できる。
【発明を実施するための最良の形態】
【００１０】
図１〜図５を参照して本発明の第１の実施形態を説明する。
【００１１】
図１中符号１はキャニスタ型の電気掃除機を示している。電気掃除機１は、車輪の回転を伴って床面上を移動できる掃除機本体２を備えている。掃除機本体２には、電動送風機３と、この電動送風機３の上流側に配置された例えば袋状の集塵フィルタ４とが内蔵されている。掃除機本体２の吸塵口２ａに連通された集塵フィルタ４は、掃除機本体２の開閉自在な蓋２ｂを開いて掃除機本体２に出し入れすることができる。
【００１２】
吸塵口２ａには吸塵ホース５が連結されている。吸塵ホース５は、可撓性を有する蛇腹管などからなるホース部５ａの一端に連結部５ｂを有し、ホース部５ａの他端部に握り部６を有して形成されている。連結部５ｂは吸塵口２ａに着脱可能に差し込んで連結されている。
【００１３】
握り部６は、掃除の際に掃除機本体２及び後述の床用吸込み口体等を移動させるために使用者によって握られるものであって、例えば図１及び図２に示すように管部７と、この管部７の外周に設けられたハンドル８とを備えている。管部７の前後両端は夫々開口されている。この管部７の後端部７ａにはホース部５ａが接続されている。管部７の前端部７ｂは管接続部として用いられる。ハンドル８には各種の操作釦を有した操作部８ａが設けられている。
【００１４】
図２に示すように握り部６は押出し機構１１を備えている。この押出し機構１１は、レバー１２と、機構操作部１３と、押出しワイヤ１４とを有している。
【００１５】
レバー１２は、その長手方向中間部を支持した枢軸１５を支点として回転可能に設けられて、ハンドル８の根元部に内蔵されている。機構操作部１３は、ハンドル８を握った使用者の手の指で操作される部材であって、例えば引っ張り操作されるトリガー（引き金）で形成されている。この機構操作部１３の前端部はハンドル８の根元部に挿入されてレバー１２の一端部に枢着されている。機構操作部１３はハンドル８の根元部から後向きに突出されていて、その突出された部分はハンドル８の裏面に対向している。
【００１６】
押出しワイヤ１４はハンドル８に内蔵され、管部７の外側に配設されている。この押出しワイヤ１４の後端部はレバー１２の他端部に枢着されている。押出しワイヤ１４は、機構操作部１３の引張り操作に伴うレバー１２の図２中反時計回りの回転により前方へ移動される。この前方への移動により押出しワイヤ１４の前端部が図２中二点鎖線で示すように握り部６の前端から突出されるようになっている。
【００１７】
握り部６が有した管部７の前端部７ｂには例えば二本継型の延長管２１が接続されている。この延長管２１は上部延長管２２と下部延長管３０とを備えている。これら上部延長管２２と下部延長管３０とは同じ構成である。
【００１８】
すなわち、図３に示すように上部延長管２２は、その長手方向一端部（前端部）を嵌合端部２２ａとし、長手方向他端部（後端部）を挿入端部２２ｂとした管状をなしている。挿入端部２２ｂは管部７の前端部７ｂの内側に挿脱可能に嵌合して接続できる。上部延長管２２はその外面例えば上部側面にワイヤ収容部２３を有している。このワイヤ収容部２３は、上部延長管２２の長手方向（前後方向）に延びていて、その前端に通孔２３ａを有し、後端に通孔２３ｂを有している。ワイヤ収容部２３にはこのワイヤ収容部２３と同じ長さの連動ワイヤ２４が前後方向に移動可能に収納されている。
【００１９】
連動ワイヤ２４に固定されたばね受け２５と、ワイヤ収容部２３内に固定して設けられたばね受け２６との間に、付勢体例えばコイルばね２７が挟まれている。このコイルばね２７は、連動ワイヤ２４を挿入端部２２ｂの突出方向と同方向に、つまり、後向きに付勢している。連動ワイヤ２４に設けられた鍔状の係止部２８を受けるストッパ２９が、ワイヤ収容部２３内に固定して設けられている。ストッパ２９には連動ワイヤ２４が貫通している。コイルばね２７の付勢力で係止部２８がストッパ２９に係合されることで、ワイヤ収容部２３に連動ワイヤ２４が位置決めされる。この位置決めにより連動ワイヤ２４は、その前後両端がワイヤ収容部２３の前後両端面と面一となる位置に保持され、この位置決め状態から前方に向けて連動ワイヤ２４はコイルばね２７に抗して移動可能であり、この前進により通孔２３ａより連動ワイヤ２４の前端部２４ａが突出できる。
【００２０】
上部延長管２２がその挿入端部２２ｂを管部７の前端部７ｂに挿入して握り部６に接続された状態では、通孔２３ａに挿入可能な押出しワイヤ１４の前端が連動ワイヤ２４の後端に当接されている。つまり、押出しワイヤ１４は握り部６から突出しないようにコイルばね２７の付勢力で押し戻されている。このため、機構操作部１３がトリガー操作されることにより前進される押出しワイヤ１４の前端部が通孔２３ｂに挿入されるに伴い、連動ワイヤ２４は前方へ押圧移動される。
【００２１】
図３に示すように下部延長管３０も、その長手方向一端部（前端部）を嵌合端部３０ａとし、長手方向他端部（後端部）を挿入端部３０ｂとした管状をなしている。挿入端部３０ｂは上部延長管２２の嵌合端部２２ａの内側に挿脱可能に嵌合して接続できる。下部延長管３０はその外面例えば上部側面にワイヤ収容部３１を有している。このワイヤ収容部３１は、下部延長管３０の長手方向（前後方向）に延びていて、その前端に通孔３１ａを有し、後端に通孔３１ｂを有している。ワイヤ収容部３１にはこのワイヤ収容部３１と同じ長さの連動ワイヤ３２が前後方向に移動可能に収納されている。
【００２２】
連動ワイヤ３２に固定されたばね受け３３と、ワイヤ収容部３１内に固定して設けられたばね受け３４との間に、付勢体例えばコイルばね３５が挟まれている。このコイルばね３５は、連動ワイヤ３２を挿入端部３０ｂの突出方向と同方向に、つまり、後向きに付勢している。連動ワイヤ３２に設けられた鍔状の係止部３６を受けるストッパ３７が、ワイヤ収容部３１内に固定して設けられている。ストッパ３７には連動ワイヤ３２が貫通している。コイルばね３５の付勢力で係止部３６がストッパ３７に係合されることで、ワイヤ収容部３１に連動ワイヤ３２が位置決めされる。この位置決めにより連動ワイヤ３２は、その前後両端がワイヤ収容部３１の前後両端面と面一となる位置に保持され、この位置決め状態から前方に向けて連動ワイヤ３２はコイルばね３５に抗して移動可能であり、この前進により通孔３１ａより連動ワイヤ３２の前端部３２ａが突出できる。
【００２３】
下部延長管３０がその挿入端部３０ｂを上部延長管２２の嵌合端部２２ａに挿入して接続された状態では、通孔３１ａに挿入可能な連動ワイヤ２４の前端が連動ワイヤ３２の後端に当接されている。このため、連動ワイヤ２４が前進されてその前端部２４ａが通孔３１ｂに挿入されるに伴い、コイルばね３５に抗して連動ワイヤ３２は前方へ押圧移動される。
【００２４】
なお、下部延長管３０の挿入端部３０ｂは管部７の前端部７ｂの内側に挿脱可能に嵌合して接続することもできる。これにより下部延長管３０が握り部に接続された状態では、通孔２３ａに挿入可能な押出しワイヤ１４の前端が連動ワイヤ３２の後端に当接される。この状態では、コイルばね３５の付勢力で押出しワイヤ１４は握り部６から突出しないように押し戻される。このため、機構操作部１３がトリガー操作されることにより前進される押出しワイヤ１４の前端部が通孔３１ｂに挿入されるに伴い、連動ワイヤ３２は前方へ押されて移動される。
【００２５】
図１に示すように下部延長管３０の前端部には筒状の吸込み部材４１を介して床用吸込み口体５１が着脱可能に接続されている。
【００２６】
吸込み部材４１は下部延長管３０の前端部に嵌合して取付けられている。吸込み部材４１は、吸込み口体５１より小さく形成されており、吸込み管４２と、この吸込み管４２に取付けられたブラシ毛４３とを有している。
【００２７】
吸込み管４２の前端部は例えば斜状に開口された吸口４２ａをなしている。吸込み管４２の後側部位は、下部延長管３０の前端部の内側に挿入して接続された接続管部４２ｂをなしている。吸込み管４２の内周面には、吸込み管４２の長手方向中間部に位置して環状の段部４２ｃが設けられている。段部４２ｃと吸口４２ａとにわたる吸込み管４２の内周面は、段部４２ｃから吸口４２ａに向けて次第に径が大きくなるテーパ面で形成されている。ブラシ毛４３は、吸口４２ａ側に位置して、この吸口４２ａを囲むように設けられている。
【００２８】
床用吸込み口体５１は、図１に示すように吸込みヘッド５２と、接続管５３とを備えている。吸込みヘッド５２は左右方向に長い横長形状をなしていて、その下面に横長の吸込み開口（図示しない）を有している。接続管５３は、吸込みヘッド５２の後側中央部に図示しない管継手を介して上下方向及び左右方向に夫々回転自在に接続されている。この接続管５３の後端部５３ａの外周面は先細りとなるテーパ状に形成されていて。この後端部５３ａの外周に前記吸口４２ａを着脱可能に嵌合して吸込み部材４１が接続されている。したがって、吸込み部材４１は、接続管５３への接続により図１に示すように握り部６と吸込みヘッド５２との間に配置される。
【００２９】
図４及び図５中符号６１は保持手段を示している。保持手段６１は、吸込み部材４１を接続管５３に嵌合された状態に保持するとともに、この嵌合を外し得る状態に前記保持を押出し機構１１の操作に連動して解除するために設けられていて、保持部６２と、保持部材６３と、保持解除部材７１とを備えている。
【００３０】
詳しくは、保持部６２は吸口４２ａを形成している吸込み管４２の管壁外面に一体に設けられていて、例えば凸部で形成されている。
【００３１】
保持部材６３は接続管５３の外側に図示しない枢軸を支点として回転可能に取付けられている。保持部材６３は、接続管５３の軸方向に延びて配置され、その前端側部分にばね受け部６３ａを有している。保持部材６３の後端部はロック部６３ｂをなしている。このロック部６３ｂは、保持部６２に係脱される部分であって、斜状面６４と、ストッパ面６５とを有している。ストッパ面６５は、斜状面６４より前側に寄せて、つまり、ばね受け部６３ｂに寄せて、斜状面６４の前側の傾斜端から折れ曲って設けられている。保持部材６３のばね受け部６３と接続管５３の外面との間にはコイルばね６６が挟持されている。コイルばね６６は、保持部材６３のロック部６３ｂを接続管５３の外面に近づける方向に保持部材６３を付勢している。
【００３２】
保持解除部材７１は吸込み部材４１に取付けられている。この保持解除部材７１は例えば作動ワイヤからなり、吸込み管４２の外面に一体に設けた第１のガイド７３及び第２のガイド７４を貫通して前後方向に移動可能に支持されている。第１のガイド７３及び第２のガイド７４間には、保持解除部材７１に固定されたばね受け７５が配置されているとともに、このばね受け７５と第１のガイド７３とで挟まれるコイルばね７６が配置されている。コイルばね７６は保持解除部材７１を後方に向けて付勢している。
【００３３】
吸込み部材４１は下部延長管３０に接続された状態で、下部延長管３０のワイヤ収容部３１の前端面が当たる壁部４１ａを有しており、この壁部４１ａに連動ワイヤ３２が挿入可能な通孔４５が開けられている。この通孔４５には、後向きに付勢された保持解除部材７１の後端部が収められている。保持解除部材７１の前端はロック部６３ｂに接触ないしは至近距離で対向する位置に配置されている。
【００３４】
電気掃除機１は、通常、吸塵ホース５の握り部６に延長管２１の上部延長管２２を接続し、床用吸込み口体５１の接続管５３に延長管２１の下部延長管３０に接続された吸込み部材４１を接続した状態にある。そして、この電気掃除機１には、ハンドル８を握った状態で操作部８ａを操作することにより電動送風機３を運転してから、床用吸込み口体５１を床面に沿って押し引きして使用される。
【００３５】
こうして床用吸込み口体５１を使用する状態では、吸込み部材４１を介して接続管５３に下部延長管３０が接続されている。この接続は、接続管５３の後端部の外側に、吸込み部材４１が備えた吸込み管４２の吸口４２ａを嵌合させることでなされている。つまり、この嵌合に伴って、保持部材６３がコイルばね６６に抗して回転し、それに伴い保持部材６３のロック部６３ｂが、保持部６２を前側から乗り越えて、この保持部６２の後側に引っ掛かることによって、下部延長管３０に接続された吸込み管４２と接続管５３とが適正に嵌合して、吸込み部材４１と接続管５３とが連結された状態が保持されている。
【００３６】
この連結状態は図４に示されている。この連結状態では、接続管５３の後端が段部４２ｃに当たっていることにより、握り部６を介して床用吸込み口体５１が前方へ押される際に、保持部６２がロック部６３ｂから前方に離れ動くことがない。したがって、接続管５３を介して吸込みヘッド５２に前方へ押す力を波及させて、床用吸込み口体５１を前方へ押し動かすことができる。この逆に、握り部６を介して床用吸込み口体５１が後方へ引き動かされる際には、ロック部６３ｂと保持部６２との引掛かりにより、接続管５３を介して吸込みヘッド５２に引き戻す力を波及させて、床用吸込み口体５１を後方へ引き動かすことができる。
【００３７】
以上の掃除の際、吸込み部材４１は、床用吸込み口体５１から延長管２１に至る含塵空気を導く風路をなす部材をとして使用される。こうした掃除状態又は非掃除状態では、コイルばね６６によりワイヤからなる保持解除部材７１は後退位置に配置されているとともに、コイルばね３５により連動ワイヤ３２が後退位置に配置され、コイルばね２７により連動ワイヤ２４が後退位置に配置されている。そして、保持解除部材７１の後端に連動ワイヤ３２の前端が当接ないしは至近距離で対向し、この連動ワイヤ３２の後端に連動ワイヤ２４の前端が当接ないしは至近距離で対向し、更に、連動ワイヤ２４の後端に押出しワイヤ１４の前端が当接ないしは至近距離で対向している。又、保持解除部材７１の前端は保持部材６３のロック部６３ｂの斜状面６４に当接ないしは至近距離で対向している。
【００３８】
このため、握り部６に設けた押出し機構１１の機構操作部１３を操作することにより、保持手段６１による保持を解除できる。
【００３９】
すなわち、ハンドル８を握った手の指で機構操作部１３が後方へ引き動かされると、それに伴い枢軸１５を中心に回転するレバー１２により押出しワイヤ１４が前方に移動される。そのため、押出しワイヤ１４の前端部が通孔２３ｂに挿入されて、連動ワイヤ２４をコイルばね２７に抗して前方に押し出すと同時に、通孔２３ａから突出した連動ワイヤ２４の前端部が、通孔３１ｂに挿入されて連動ワイヤ３２をコイルばね３５に抗して前方に押し出す。これに伴い、連動ワイヤ３２の前端部が通孔４５に挿入されて保持解除部材７１がコイルばね７６に抗して前方に押し出される。
【００４０】
こうして握り部６での手元操作に連動して、保持解除部材７１がロック部６３ｂの斜状面６４を押しながら前進するので、コイルばね６６に抗して保持部材６３が回転されて、そのロック部６３ｂが保持部６２から外される。この後も、保持解除部材７１の前進は継続される。このため、保持解除部材７１の先端がロック部６３ｂの斜状面６４からストッパ面６５に移動して、ロック部６３ｂを前方に押すようになる。
【００４１】
ストッパ面６５に対して保持解除部材７１の先端は略直角に接するので、保持部材６３が更に保持部６２から離れるように動かされることはなく、又、保持部材６３は、その枢軸により接続管５３に支持されているので、前後方向に移動できない。このため、ストッパ面６５を押す力は、結果的に保持部材６３を介して接続管５３を前方に押す力として床用吸込み口体５１に作用する。
【００４２】
この力によって、吸込み管４２の段部４２ｃから接続管５３の後端部が前方にずれ動くので、吸込み管４２の吸口４２ａ側部分と接続管５３の後端部とのテーパ嵌合が緩んだ状態となる。この状態を図５に示す。この状態では、保持部６２の真上にロック部６３ｂが対向しているので、仮に保持解除部材７１がロック部６３ｂから離れても、ロック部６３ｂは保持部６２に単に当たるようになるだけで、吸込み部材４１の後方へ動きを止めるように保持部６２に引っ掛かることはない。
【００４３】
したがって、この後に、手元操作により延長管２１を引き上げることに伴い、吸込み部材４１を接続管５３から離脱させて、吸込み部材４１の吸込み管４２の吸口４２ａを露出させて使用可能な状態にできる。それにより、吸込み管４２の吸口４２ａから吸塵して、床用吸込み口体５１では掃除が不向きな狭い場所や天井側高所などを掃除できる。この場合、吸口４２ａの周りにはブラシ毛４３があるので、被掃除場所の塵埃の掻き出しができるとともに、吸口４２ａによって被掃除場所が傷付けられることも抑制できる。
【００４４】
前記電気掃除機１は、以上のように吸込み部材４１に設けた保持部６２と、接続管５３に設けられこの接続管５３への吸込み部材４１の嵌合により保持部６２に引っ掛かる保持部材６３と、吸込み部材４１にこの吸込み部材４１の軸方向に移動可能に取付けられ押出し機構１１の機構操作部１３に連動して保持部材６３を保持部６２から外す保持解除部材７１とを有した保持手段６１を備えており、保持部材６３を保持部６２から外す際の保持解除部材７１の移動により前記保持を解除した状態で接続管５３から吸込み部材４１が外れる方向の力を吸込み部材４１に与えるように構成されている。
【００４５】
このため、既述のように床用吸込み口体５１を使用して吸塵する掃除形態から吸込み部材４１を使用して吸塵する掃除形態への変更に際しては、手元操作で、保持部６２から保持部材６３のロック部６３ｂを外せるだけではなく、それに引き続いて接続管５３と吸込み部材４１とのテーパ嵌合を緩めることができる。それにより、例えば使用者は一旦身をかがめる動作を伴って、床用吸込み口体５１を動かないように支える手間を要することなく、使用者は腰を伸ばした姿勢で延長管２１を引き上げるという簡単な作業で、床用吸込み口体５１を、延長管２１に接続された吸込み部材４１から外すことができる。したがって、使い勝手が良い。これとともに、前記掃除形態の変更において、床用吸込み口体５１のまわりを使用者が脚で踏む動作を要しないので、床用吸込み口体５１が脚で踏みつけられる恐れがない点で好ましい。
【００４６】
又、外された床用吸込み口体５１に、延長管２１に取付けられている吸込み部材４１を接続するには、床用吸込み口体５１の接続管５３を立てた状態に保持してから、その上方より吸込み部材４１の吸口４２ａを嵌合させればよい。それにより、接続管５３の後端部５３ａに吸込み管４２の吸口４２ａ側部分がテーパ嵌合されるとともに、この嵌合完了の間際に、保持部６２が、その斜面によって保持部材６３のロック部６３ｂを押上げながら、このロック部６３ｂを通過する。そして、この直後に、ロック部６３ｂが保持部６２に引っ掛かって、吸込み部材４１を介して接続管５３と延長管２１とが連通された図４に示す状態となる。
【００４７】
図６及び図７を参照して本発明の第２実施形態を説明する。第２実施形態は以下説明する事項以外は第１実施形態と同じであるので、第１実施形態と同じ部分には同一符号を付して説明を省略する。
【００４８】
第２実施形態において保持部材６３のロック部６３ｂのストッパ面６５は、斜状面６４の後側の傾斜端から折れ曲がって設けられていて、保持部材６３の後端面をなしている。
【００４９】
作動ワイヤからなる保持解除部材７１は、その前端から多少後退した位置に当接部６７を有している。当接部６７は、ストッパ面６５と対向する部位であって、例えば保持解除部材７１の側方に突出する凸部で形成されている。この凸部は例えば溶接止めされている。なお、当接部６７は保持解除部材７１を折り曲げて形成することも可能である。この場合、保持解除部材７１の先端部を軸方向に直角となるように折り曲げられた部位を、ストッパ面６５と対向する当接部６７として用いることができる。
【００５０】
図６に示した状態において握り部での手元操作により、押出し機構の機構操作部が操作されて保持解除部材７１が前進された場合には、保持手段６１による保持が解除される。つまり、保持解除部材７１の前端が、接続管５３に取付けられた保持部材６３のロック部６３ｂの斜状面６４を押上げて、ロック部６３ｂが吸込み部材４１の保持部６２から外される。
【００５１】
しかも、この直後に、保持解除部材７１の当接部６７がロック部６３ｂのストッパ面６５に当接する。そして、この当接時点以降、ストッパ面６５を押す力は、結果的に保持部材６３を介して接続管５３を前方に押し戻す力として床用吸込み口体５１に作用する。この力によって、吸込み管４２の段部４２ｃから接続管５３の後端部が前方にずれ動くので、吸込み管４２の吸口４２ａ側部分と接続管５３の後端部とのテーパ嵌合が緩んだ状態となる。この状態を図７に示す。この状態では、保持部６２の真上にロック部６３ｂが対向しているので、仮に保持解除部材７１がロック部６３ｂから離れても、ロック部６３ｂは保持部６２に単に当たるようになるだけで、吸込み部材４１の後方へ動きを止めるように保持部６２に引っ掛かることはない。
【００５２】
したがって、この後に、手元操作により延長管２１を引き上げることに伴い、吸込み部材４１を接続管５３から離脱させて、吸込み部材４１の吸込み管４２の吸口４２ａを露出させて使用可能な状態にできる。それにより、吸込み管４２の吸口４２ａから吸塵して、床用吸込み口体５１では掃除が不向きな狭い場所や天井側高所などを掃除できる。したがって、第２実施形態においても本発明の課題を解決できる。
【００５３】
本発明は前記各実施形態には制約されない。例えば、吸込み部材４１の吸込み管４２は、下部延長管３０とは別体ではなく、下部延長管３０に一体に成形することができ、この場合は下部延長管３０が吸込み部材４１を兼ねる。又、本発明において、押出し機構１１の機構操作部はトリガー式ではなく押し釦式にすることも可能である。又、本発明において吸塵ホースの握り部６は、ハンドルを備えずに管部７を直接握持して手元操作をするものであっても良い。
【図面の簡単な説明】
【００５４】
【図１】本発明の第１実施形態に係る電気掃除機を示す斜視図。
【図２】図１の電気掃除機が備える吸塵ホースの握り部を示す断面図。
【図３】図１の電気掃除機が備える延長管を示す断面図。
【図４】図１の電気掃除機が備える床用吸込み口体の接続管に吸込み部材が保持された状態を示す断面図。
【図５】図１の電気掃除機が備える床用吸込み口体の接続管に対する吸込み部材の保持が解除された状態を示す断面図。
【図６】本発明の第２実施形態に係る電気掃除機が備える床用吸込み口体の接続管に吸込み部材が保持された状態を示す断面図。
【図７】第２実施形態に係る電気掃除機が備える床用吸込み口体の接続管に対する吸込み部材の保持が解除された状態を示す断面図。
【符号の説明】
【００５５】
１…電気掃除機、２…掃除機本体、３…電動送風機、５…吸塵ホース、６…吸塵ホースの握り部、７…握り部の管部、８…握り部のハンドル、１１…押出し機構、１２…レバー、１３…機構操作部、１４…押出しワイヤ、１５…枢軸、２１…延長管、２２…上部延長管、２４…連動ワイヤ、２７…コイルばね、３０…下部延長管、３２…連動ワイヤ、３５…コイルばね、４１…吸込み部材、４２…吸込み管、４２ａ…吸口、４２ｂ…接続管部、４３…ブラシ毛、５１…床用吸込み口体、５２…吸込みヘッド、５３…接続管、６１…保持手段、６２…保持部、６３…保持部材、６３ｂ…ロック部、６４…ロック部の斜状面、６５…ロック部のストッパ面、７６…コイルばね
【図１】
2007190190.tif 000003
【図２】
2007190190.tif 000004
【図３】
2007190190.tif 000005
【図４】
2007190190.tif 000006
【図５】
2007190190.tif 000007
【図６】
2007190190.tif 000008
【図７】
2007190190.tif 000009